(57)【特許請求の範囲】
【請求項１】
互いに対向する表面材の間に配設した芯材と、
ケース本体の側面が前記表面材のそれぞれに対向する姿勢で前記表面材の間の戸先となる部分に配設し、前記ケース本体の前面に枠体との係合部材を有するとともに、前記ケース本体の後端部にケーブルが接続される電気錠と、
操作部及び取付部を有し、前記取付部を介して個々の表面材の外表面において前記電気錠に対応する部位に取り付けたハンドルと
を備えた建具用面材であって、
前記ケース本体の側面と前記表面材との間にスペーサを備えるとともに、前記ケース本体の周囲となる部分に前記ケーブルを収容するためのケーブル収容空間を有したことを特徴とする建具用面材。
【請求項２】
前記スペーサは、前記芯材とは個別に構成してあり、
前記芯材は、前記電気錠を配設する部分に収容部を有し、
前記スペーサは、前記芯材の収容部を埋めるように形成したブロック状を成し、内部に前記電気錠のケース本体を収容するケース収容孔を有したことを特徴とする請求項１に記載の建具用面材。
【請求項３】
前記芯材は、一方の表面にケーブル配置溝を有し、
前記電気錠は、前記ケーブル配置溝に配設されたケーブルを介して外部に接続されるものであり、
前記ケーブル配置溝と前記ケース収容孔とを互いに連通させたことを特徴とする請求項２に記載の建具用面材。
【請求項４】
前記スペーサのケース収容孔は、前記表面材の一方に対向する部位に設けた連通溝を介して前記スペーサの外表面に開口するものであり、
前記ケーブル配置溝は、前記芯材において前記一方の表面材に対向する表面に形成したことを特徴とする請求項３に記載の建具用面材。
【請求項５】
前記スペーサは、一方の外表面にケーブル配置溝を有し、
前記電気錠は、前記ケーブル配置溝に配設されたケーブルを介して外部に接続されるものであり、
前記ケーブル配置溝と前記ケース収容孔とを互いに連通させたことを特徴とする請求項２に記載の建具用面材。
【請求項６】
前記スペーサのケース収容孔は、前記表面材の一方に対向する部位に設けた連通溝を介して前記スペーサの外表面に開口するものであり、
前記ケーブル配置溝は、前記芯材において前記一方の表面材に対向する表面に形成したことを特徴とする請求項５に記載の建具用面材。
【請求項７】
断熱性を有した部材によって前記芯材を成形し、かつ難燃性を有した部材によって前記スペーサを成形したことを特徴とする請求項１に記載の建具用面材。
【請求項８】
前記ハンドルは、前記操作部の両端部にそれぞれ前記取付部を有したものであり、
前記表面材の間には、前記取付部のそれぞれに対応する部位に前記電気錠が個別に配設してあり、
前記ケース本体のそれぞれの側面と前記表面材との間に前記スペーサを備えるとともに、前記ケース本体のそれぞれの後面よりも戸尻側となる部位にそれぞれ前記ケーブル収容空間を有したことを特徴とする請求項１に記載の建具用面材。
【請求項９】
前記スペーサは、前記芯材とは個別に構成してあり、
前記芯材は、２つの電気錠を配設する部分にわたる収容部を有し、
前記スペーサは、前記芯材の収容部を埋めるように形成したブロック状を成し、内部に前記２つの電気錠のケース本体を個別に収容するケース収容孔を有したことを特徴とする請求項８に記載の建具用面材。
【請求項１０】
請求項１〜請求項９のいずれか１つに記載した面材と、前記面材を開閉可能に支持する枠体とを備えたことを特徴とする建具。
【発明の詳細な説明】
【技術分野】
【０００１】
本発明は、ドアパネル等のように、互いに対向する表面材の間に芯材及び電気錠を備えた建具用面材及び建具に関するものである。
【背景技術】
【０００２】
玄関ドアに用いられる建具用面材としては、四周枠組みした骨材の内部に芯材を配設し、さらに骨材の表裏両面に表面材を配設したものがある。芯材としては、面材の断熱性を向上させるため、例えば発泡ウレタン等の断熱性を有したものが多く用いられている。
【０００３】
昨今の面材では、戸先となる部分に電気錠が配設されているものも提供されている。電気錠は、施解錠を行うための電動アクチュエータを内蔵したもので、キーやサムターンによる手動操作の他、コントローラからの電気信号によって施解錠を行うことができ、ドアを開閉する際の利便性を向上させることが可能となる。電気錠は、板厚の薄い箱状を成すケース本体の前面にデッドボルトやラッチボルトを有するもので、ケース本体の側面が表面材のそれぞれに対向する姿勢で面材に取り付けられている。電気錠に施解錠の電気信号を与えたり、通電を行うためのケーブルは、面材の内部に配設され、外部から視認できないため、外観品質が損なわれることはない。電気錠の取付作業においては、面材に設けた取付孔からケーブルを引き出した状態でケーブルを電気錠に接続し、その後、ケーブルを取付孔に収容させながら電気錠を取付孔に装着するようにしている（例えば、特許文献１参照）。
【先行技術文献】
【特許文献】
【０００４】
【特許文献１】特開平７−１２７３５１号公報
【発明の概要】
【発明が解決しようとする課題】
【０００５】
ところで、面材の戸先部分には、電気錠を挟むようにそれぞれの表面材に取付部を介してハンドルが取り付けられる。ここで、上述のように、電気錠と共にケーブルを取付孔に収容させるようにした取付構造においては、面材の内部でケーブルがどこに位置しているのかを正確に把握することが困難である。このため、例えば、面材の取付孔に収容したケーブルがケース本体の側面と面材との間に配置されている状態で、ハンドルの取付部に設けたボス部を挿通させたり、取付ネジを螺合した場合には、ボス部や取付ネジによってケーブルが噛み込まれる等、ケーブルに損傷を来すおそれがある。
【０００６】
本発明は、上記実情に鑑みて、ケーブルに損傷を来すことなく電気錠の取付作業を容易化することのできる建具用面材及び建具を提供することを目的とする。
【課題を解決するための手段】
【０００７】
上記目的を達成するため、本発明に係る建具用面材は、互いに対向する表面材の間に配設した芯材と、ケース本体の側面が前記表面材のそれぞれに対向する姿勢で前記表面材の間の戸先となる部分に配設し、前記ケース本体の前面に枠体との係合部材を有するとともに、前記ケース本体の後端部にケーブルが接続される電気錠と、操作部及び取付部を有し、前記取付部を介して個々の表面材の外表面において前記電気錠に対応する部位に取り付けたハンドルとを備えた建具用面材であって、前記ケース本体の側面と前記表面材との間にスペーサを備えるとともに、前記ケース本体の周囲となる部分に前記ケーブルを収容するためのケーブル収容空間を有したことを特徴とする。
【０００８】
この発明によれば、ケース本体の側面と表面材との間にスペーサが配設された構造であるため、電気錠と共にケーブルを表面材の間に配設した場合にもケーブルがケース本体の側面と表面材との間に位置されることはなく、ケース本体の後面に押されてケーブル収容空間に配置されることになる。従って、ハンドルの取付部にネジを螺合した場合にもケーブルに損傷を来すおそれはない。
【０００９】
また本発明は、上述した建具用面材において、前記スペーサは、前記芯材とは個別に構成してあり、前記芯材は、前記電気錠を配設する部分に収容部を有し、前記スペーサは、前記芯材の収容部を埋めるように形成したブロック状を成し、内部に前記電気錠のケース本体を収容するケース収容孔を有したことを特徴とする。
【００１０】
この発明によれば、スペーサが芯材と個別であるため、スペーサにケース収容孔を設ける加工を容易化することができる。
【００１１】
また本発明は、上述した建具用面材において、前記芯材は、一方の表面にケーブル配置溝を有し、前記電気錠は、前記ケーブル配置溝に配設されたケーブルを介して外部に接続されるものであり、前記ケーブル配置溝と前記ケース収容孔とを互いに連通させたことを特徴とする。
【００１２】
この発明によれば、ケーブル配置溝に配設したケーブルがケース収容孔を介してケース本体の後端部に接続されることになる。
【００１３】
また本発明は、上述した建具用面材において、前記スペーサのケース収容孔は、前記表面材の一方に対向する部位に設けた連通溝を介して前記スペーサの外表面に開口するものであり、前記ケーブル配置溝は、前記芯材において前記一方の表面材に対向する表面に形成したことを特徴とする。
【００１４】
この発明によれば、連通溝を介して芯材のケーブル配置溝とスペーサのケース収容孔とが連通されることになり、芯材のケーブル配置溝を深く形成する必要がない。
【００１５】
また本発明は、上述した建具用面材において、前記スペーサは、一方の外表面にケーブル配置溝を有し、前記電気錠は、前記ケーブル配置溝に配設されたケーブルを介して外部に接続されるものであり、前記ケーブル配置溝と前記ケース収容孔とを互いに連通させたことを特徴とする。
【００１６】
この発明によれば、ケーブル配置溝に配設したケーブルがケース収容孔を介してケース本体の後端部に接続されることになる。
【００１７】
また本発明は、上述した建具用面材において、前記スペーサのケース収容孔は、前記表面材の一方に対向する部位に設けた連通溝を介して前記スペーサの外表面に開口するものであり、前記ケーブル配置溝は、前記芯材において前記一方の表面材に対向する表面に形成したことを特徴とする。
【００１８】
この発明によれば、連通溝を介してスペーサのケーブル配置溝とスペーサのケース収容孔とが連通されることになり、スペーサのケーブル配置溝を深く形成する必要がない。
【００１９】
また本発明は、上述した建具用面材において、断熱性を有した部材によって前記芯材を成形し、かつ難燃性を有した部材によって前記スペーサを成形したことを特徴とする。
【００２０】
この発明によれば、表面材に設けられたハンドル取付孔が難燃性材料によって成形したスペーサによって塞がれることになり、例えば火災発生時において表面材のハンドル取付孔が貫通口となる事態を防止することができる。
【００２１】
また本発明は、上述した建具用面材において、前記ハンドルは、前記操作部の両端部にそれぞれ前記取付部を有したものであり、前記表面材の間には、前記取付部のそれぞれに対応する部位に前記電気錠が個別に配設してあり、前記ケース本体のそれぞれの側面と前記表面材との間に前記スペーサを備えるとともに、前記ケース本体のそれぞれの後面よりも戸尻側となる部位にそれぞれ前記ケーブル収容空間を有したことを特徴とする。
【００２２】
この発明によれば、操作部の両端部に取付部を有したハンドルを備えるものにおいても、ケーブルがケース本体の側面と表面材との間に位置されることはなく、ケース本体の後面に押されてケーブル収容空間に配置されることになる。従って、ハンドルの取付部にネジを螺合した場合にもケーブルに損傷を来すおそれはない。
【００２３】
また本発明は、上述した建具用面材において、前記スペーサは、前記芯材とは個別に構成してあり、前記芯材は、２つの電気錠を配設する部分にわたる収容部を有し、前記スペーサは、前記芯材の収容部を埋めるように形成したブロック状を成し、内部に前記２つの電気錠のケース本体を個別に収容するケース収容孔を有したことを特徴とする。
【００２４】
この発明によれば、２つの電気錠でスペーサを共用しているため、部品点数が増える事態を招来することがない。
【００２５】
また、本発明に係る建具は、上述した面材と、前記面材を開閉可能に支持する枠体とを備えたことを特徴とする。
【００２６】
この発明によれば、ケース本体の側面と面材との間にスペーサが配設された構造であるため、電気錠と共にケーブルを表面材の間に配設した場合にもケーブルがケース本体の側面と面材との間に位置されることはなく、ケース本体の後面に押されてケーブル収容空間に配置されることになる。従って、ハンドルの取付部にネジを螺合した場合にもケーブルに損傷を来すおそれはなく、電気錠の取付作業を容易化することが可能となる。
【発明の効果】
【００２７】
本発明によれば、ケース本体の側面と面材との間にスペーサが配設された構造であるため、電気錠と共にケーブルを表面材の間に配設した場合にもケーブルがケース本体の側面と面材との間に位置されることはなく、ケース本体の後面に押されてケーブル収容空間に配置されることになる。従って、ハンドルの取付部にネジを螺合した場合にもケーブルに損傷を来すおそれはなく、電気錠の取付作業を容易化することが可能となる。
【図面の簡単な説明】
【００２８】
【図１】図１は、本発明の実施の形態である面材を適用した建具の縦断面図である。
【図２】図２は、図１に示した建具の横断面図である。
【図３】図３は、図１に示した建具に適用する面材を戸先側から見た要部拡大図である。
【図４】図４は、図３に示した面材の要部横断面図である。
【図５】図５は、図３に示した面材の要部破断側面図である。
【図６】図６は、図５に示した面材の分解図である。
【図７】図７は、図３に示した面材に適用する芯材、スペーサ及び電気錠を示す分解斜視図である。
【図８】図８は、図３に示した面材に適用する芯材及びスペーサを示す分解斜視図である。
【図９】図９は、図３に示した面材に適用するスペーサを示すもので、（ａ）は戸尻側から見下ろした斜視図、（ｂ）は戸先側から見上げた斜視図である。
【図１０】図１０は、図４に示した面材において電気錠を表面材の相互間に挿入する以前の状態を示す要部横断面図である。
【図１１】図１１は、図４に示した面材において電気錠を表面材の相互間に挿入する途中の状態を示す要部横断面図である。
【図１２】図１２は、図１に示した建具の変形例に適用する面材の芯材、スペーサ及び電気錠を示す分解斜視図である。
【図１３】図１３は、図１２に示した芯材及びスペーサを示す分解斜視図である。
【図１４】図１４は、図１２に示したスペーサを戸尻側から見下ろした斜視図である。
【発明を実施するための形態】
【００２９】
以下、添付図面を参照しながら本発明に係る建具用面材及び建具の好適な実施の形態について詳細に説明する。
図１及び図２は、本発明の実施の形態である面材を適用した建具を示したものである。本実施の形態で例示する建具は、家屋の玄関に用いられるもので、枠体１０と、ヒンジ１を介して枠体１０に開閉可能に支持させた扉体（面材）２０とを備えている。枠体１０は、上枠１１、下枠１２及び左右の縦枠１３，１４を四周枠組みすることによって構成したものである。扉体２０は、四周枠組みした骨材２１の表面にそれぞれ表面材２２を配設し、さらに表面材２２の相互間において骨材２１によって囲まれる領域に芯材２３を配設することによって構成してある。表面材２２は、鋼材等の金属によって成形した薄板状を成すものである。それぞれの表面材２２は、周囲に折り曲げ部分を有しており、折り曲げ部分を介して骨材２１の見込み方向に沿った面にリベット接合してある。芯材２３は、ＥＰＳ（Ｅｘｐａｎｄｅｄ  Ｐｏｌｙ−Ｓｔｙｒｅｎｅ）等のように断熱性を有した厚板状を成すものである。芯材２３の表面には、接着材によって表面材２２が接着してある。
【００３０】
ここで、見込み方向とは、図１及び図２中の矢印Ａで示すように、建具の奥行きに沿った方向のことである。見込み方向に沿った平面については、見込み面と称する場合がある。また、見付け方向とは、枠体１０の上枠１１や下枠１２等のように水平に沿った部材の場合、見込み方向に直交した上下に沿う方向であり、枠体１０の縦枠１３，１４等のように上下に沿った部材の場合、見込み方向に直交した水平に沿う方向である。見付け方向に沿った平面については、見付け面と称する場合がある。
【００３１】
この扉体２０には、戸先となる部分に室内ハンドル３０、室外ハンドル４０、メイン電気錠５０及びサブ電気錠６０が配設してある。室内ハンドル３０及び室外ハンドル４０は、図３及び図４に示すように、それぞれ操作部３１，４１の両端部に取付部３２，４２を備えたものである。これら室内ハンドル３０及び室外ハンドル４０は、互いに取付部３２，４２の高さ位置がほぼ同じとなり、操作部３１，４１が上下に沿う状態で取付部３２，４２を介してそれぞれの表面材２２の表面に取り付けてある。室内ハンドル３０の２つの取付部３２には、サムターン３３が設けてあり、室外ハンドル４０の２つの取付部４２には、キーシリンダ（図示せず）が設けてある。
【００３２】
メイン電気錠５０及びサブ電気錠６０は、図５〜図７に示すように、それぞれがケース本体５１，６１と、ボスプレート５２，６２とを備えたものである。ケース本体５１，６１は、ほぼ矩形の外形形状を有したもので、側面５１ａ，６１ａの相互間距離が表面材２２の相互間隔よりも小さく構成してある。ボスプレート５２，６２は、メイン電気錠５０及びサブ電気錠６０において扉体２０の外部に露出する部分であり、両端部がケース本体５１，６１から突出した状態でケース本体５１，６１の前面となる部分に設けてある。ボスプレート５２，６２の両端部においてケース本体５１，６１よりも突出した部分には、それぞれネジ挿通孔５２ａ，６２ａが設けてある。メイン電気錠５０のボスプレート５２には、ラッチボルト（係合部材）５３及びデッドボルト（係合部材）５４が出没可能に設けてあり、サブ電気錠６０のボスプレート６２には、デッドボルト（係合部材）６３が出没可能に設けてある。図には明示していないが、それぞれの電気錠５０，６０には、デッドボルト５４，６３を出没させる電動アクチュエータがケース本体５１，６１の内部に設けてある。
【００３３】
これらの電気錠５０，６０は、ケース本体５１，６１の側面５１ａ，６１ａがそれぞれ表面材２２に対向する姿勢で、骨材２１に設けた取付孔２１ａから表面材２２の相互間に挿入し、ボスプレート５２，６２のネジ挿通孔５２ａ，６２ａを介して骨材２１にネジを螺合することによって扉体２０に取り付けてある。表面材２２の相互間において電気錠５０，６０を挿入する部分には、予め芯材２３に切欠２３ａを設けることによって矩形状の収容部２０Ａが構成してある。収容部２０Ａの奥行き寸法ｄは、図５に示すように、メイン電気錠５０及びサブ電気錠６０を取り付けた場合にも、ケース本体５１，６１の後面５１ｂ，６１ｂと芯材２３との間にスペースが確保されるだけの長さに設定してある。
【００３４】
メイン電気錠５０は、室内ハンドル３０及び室外ハンドル４０の上方に位置する取付部３２，４２の相互間となる位置に配設してあり、ラッチボルト５３及びデッドボルト５４の出没状態を変更できるように、これらのハンドル３０，４０に連係してある。サブ電気錠６０は、室内ハンドル３０及び室外ハンドル４０の下方に位置する取付部３２，４２の相互間となる位置に配設してあり、デッドボルト６３の出没状態を変更できるように、これらのハンドル３０，４０に連係してある。具体的には、室内ハンドル３０の操作部３１を取付部３２に対して移動させた場合、あるいは室外ハンドル４０の操作部４１を取付部４２に対して移動させた場合、メイン電気錠５０のラッチボルト５３を移動させ、ラッチボルト５３の先端がボスプレート５２の表面と同じ位置となるまでケース本体５１の内部に没入させることができる。サムターン３３の施解錠操作、あるいはキーによるキーシリンダ（図示せず）の施解錠操作を行った場合には、メイン電気錠５０及びサブ電気錠６０のデッドボルト５４，６３を移動させ、ボスプレート５２，６２からのデッドボルト５４，６３の出没状態を切り換えることができる。図６に示すように、表面材２２においてハンドル３０，４０の取付部３２，４２に対応する部位には、ハンドル３０，４０のボス部３４，４４や電気錠５０，６０との連係部材３５，４５を挿通するためのハンドル取付孔２２ａが設けてある。
【００３５】
また、サブ電気錠６０の後端部には、外部接続ケーブル７１が接続してあり、サブ電気錠６０の後端部とメイン電気錠５０の後端部との間には、連絡ケーブル７２が接続してある。外部接続ケーブル７１は、サブ電気錠６０に対して外部から電源を供給し、かつ図示せぬコントローラとの間の通信を行うためのものである。この外部接続ケーブル７１は、芯材２３の室内側に位置する表面に設けたケーブル配置溝２３ｂと表面材２２との間に配置してある。ケーブル配置溝２３ｂは、図６及び図７に示すように、芯材２３に設けた切欠２３ａに沿って上方に延在したもので、サブ電気錠６０から導出された外部接続ケーブル７１を収容部２０Ａから扉体２０の上方に案内している。図には明示していないが、扉体２０の上方に案内された外部接続ケーブル７１は、さらに戸尻側に向けて案内された後、通電ケースを介して扉体２０の上部見込み面から外部に導出してあり、上述した電源やコントローラに接続してある。連絡ケーブル７２は、サブ電気錠６０とメイン電気錠５０との間において電源の供給を行い、かつ通信を行うためのもので、ケーブル配置溝２３ｂを介してサブ電気錠６０とメイン電気錠５０との間に配置してある。
【００３６】
図５〜図７に示すように、扉体２０の収容部２０Ａには、スペーサ８０が配設してある。スペーサ８０は、芯材２３と同様、断熱性を有した部材によって成形したもので、収容部２０Ａに嵌合する外形形状のブロック状に構成してある。このスペーサ８０には、メイン電気錠５０のケース本体５１及びサブ電気錠６０のケース本体６１を配設する位置にそれぞれケース収容孔８１，８２が設けてある。ケース収容孔８１，８２は、図６〜図８に示すように、スペーサ８０の一方の側面８０ａから他方の側面８０ｂにわたって貫通した孔である。ケース収容孔８１，８２の見込み方向に沿った寸法は、電気錠５０，６０のケース本体５１，６１を配置した場合に側面５１ａ，６１ａとの間の隙間がゼロ、もしくは外部接続ケーブル７１及び連絡ケーブル７２の外径よりも小さくなるように設定してある。ケース収容孔８１，８２の上下方向に沿った寸法は、ケース本体５１，６１よりも大きな寸法であれば良い。
【００３７】
このケース収容孔８１，８２は、連通溝８３，８４を介してスペーサ８０の室内側に位置する外表面８０ｃに開口している。連通溝８３，８４は、ケース収容孔８１，８２の上端部から室内側に向けて形成した切欠であり、外部接続ケーブル７１及び連絡ケーブル７２を挿通することのできる幅を有している。図からも明らかなように、芯材２３のケーブル配置溝２３ｂは、それぞれの連通溝８３，８４を介して２つのケース収容孔８１，８２に連通している。図中の符号８５は、ハンドル３０，４０のボス部３４，４４や電気錠５０，６０との連係部材３５，４５を挿通するための挿通孔である。
【００３８】
上記のように構成した扉体２０において、メイン電気錠５０及びサブ電気錠６０を取り付けるには、図１０に示すように、戸先となる見込み面にエッジ材９０を取り付けた後に、エッジ材９０の取付孔９０ａ及び骨材２１の取付孔２１ａを介して表面材２２の相互間に挿入する作業を行う。このとき、外部接続ケーブル７１及び連絡ケーブル７２は、予めケーブル配置溝２３ｂと表面材２２との間に配置してあり、それぞれの端部が連通溝８３，８４及びケース収容孔８１，８２を介して扉体２０の外部に導出された状態にある。従って、メイン電気錠５０及びサブ電気錠６０に対して外部接続ケーブル７１及び連絡ケーブル７２を接続する場合には、扉体２０の外部で視認しながら行うことができ、煩雑な作業を要しない。
【００３９】
メイン電気錠５０及びサブ電気錠６０に外部接続ケーブル７１及び連絡ケーブル７２を接続した後においては、エッジ材９０の取付孔９０ａ及び骨材２１の取付孔２１ａを介して外部接続ケーブル７１及び連絡ケーブル７２と共に表面材２２の相互間にケース本体５１，６１を挿入し、ボスプレート５２，６２のネジ挿通孔５２ａ，６２ａを介して骨材２１にネジを螺合させれば、メイン電気錠５０及びサブ電気錠６０を扉体２０に取り付けることが可能となる。
【００４０】
ここで、電気錠５０，６０と共に外部接続ケーブル７１及び連絡ケーブル７２を表面材２２の相互間に収容させた場合には、表面材２２の相互間で外部接続ケーブル７１及び連絡ケーブル７２がどこに位置しているのかを正確に把握することが困難である。しかしながら、上述の扉体２０においては、表面材２２とケース本体５１，６１の側面５１ａ，６１ａとの間にスペーサ８０が介在することになり、しかもスペーサ８０とケース本体５１，６１の側面５１ａ，６１ａとの間には外部接続ケーブル７１及び連絡ケーブル７２が配置できる隙間が存在しない。このため、表面材２２の相互間に挿入された外部接続ケーブル７１及び連絡ケーブル７２は、スペーサ８０のケース収容孔８１，８２においてケース本体５１，６１の後面５１ｂ，６１ｂに押されて順次奥方に案内され、ケース収容孔８１，８２と芯材２３との隙間やケース収容孔８１，８２においてケース本体５１，６１の周囲となる部分に確保されるケーブル収容空間２０Ｂに収容されることになり、ケース本体５１，６１の側面５１ａ，６１ａと表面材２２との間に配置されるおそれはない。従って、この状態からハンドル３０，４０を取り付けた場合にも、ボス部３４，４４や連係部材３５，４５、取付ネジ等によって外部接続ケーブル７１及び連絡ケーブル７２に損傷を来すおそれはなく、電気錠５０，６０の動作を保証することが可能となる。
【００４１】
なお、上述した実施の形態では、操作部３１，４１の両端部に取付部３２，４２を備えたハンドル３０，４０を適用しているが、必ずしもこれに限定されず、単一の取付部を介して表面材に取り付けるようにしたハンドルを適用しても良い。なお、２つの取付部３２，４２を備えたハンドル３０，４０を適用し、それぞれに電気錠５０，６０を連係させるようにした扉体２０において本実施の形態では、芯材２３に共通の収容部２０Ａを形成し、かつ２つのケース収容孔８１，８２を有したスペーサ８０を適用しているため、部品点数が増える事態を招来しないが、それぞれの電気錠５０，６０を個別に収容するように別個の収容部及びスペーサを設けるようにしても良い。
【００４２】
また、上述した実施の形態では、スペーサ８０として芯材２３と同じ材質からなるものを適用しているため、収容部２０Ａを形成した場合に生じる切除部分をそのままスペーサとして適用することができ、製造コストの点で有利となるが、本発明は必ずしもこれに限定されない。例えば、ＭＤＦ（Ｍｅｄｉｕｍ  Ｄｅｎｓｉｔｙ  Ｆｉｂｅｒｂｏａｒｄ）や難燃性ウレタン等の難燃性材料によってスペーサを成形すれば、火災時等の高温状態となった場合にも、表面材２２に形成したハンドル取付孔２２ａが火炎の貫通口となる事態を有効に防止することができ、防火性の点で有利となる。
【００４３】
さらに、上述した実施の形態では、芯材２３の表面にケーブル配置溝２３ｂを設け、サブ電気錠６０に対して外部から電源を供給し、かつ図示せぬコントローラとの間の通信を行うための外部接続ケーブル７１をケーブル配置溝２３ｂに配置するようにしているが、本発明はこれに限定されない。
【００４４】
例えば、図１２〜図１４の変形例に示すように、スペーサ８０にケーブル配置溝８６を設けるようにしても構わない。すなわち、この変形例では、実施の形態で示した芯材２３のケーブル配置溝２３ｂを省略し、代わりにスペーサ８０の室内側に位置する外表面８０ｃにケーブル配置溝８６を形成するようにしている。ケーブル配置溝８６は、スペーサ８０の上端縁部から芯材２３との境界となる部分に沿って下方に延在し、下方のケース収容孔８２に設けた連通溝８４に連通する部位まで形成してある。ケーブル配置溝８６を設ける部材以外の構成については実施の形態と同様であるため、同一の符号を付してそれぞれの説明を省略することとする。
【００４５】
上記のように構成した変形例のスペーサ８０を適用する扉体２０においても、メイン電気錠５０及びサブ電気錠６０を取り付けるには、図１２に示すように、外部接続ケーブル７１及び連絡ケーブル７２を、予めケーブル配置溝８６と表面材（図示せず）との間に配置しておく。この場合、変形例の扉体２０においては、芯材２３と骨材との間の空間を通して外部接続ケーブル７１をスペーサ８０のケーブル配置溝８６まで案内しておけば良い。外部接続ケーブル７１及び連絡ケーブル７２の端部が連通溝８３，８４及びケース収容孔８１，８２を介して扉体２０の外部に導出された状態にあるのは実施の形態と同様である。従って、メイン電気錠５０及びサブ電気錠６０に対して外部接続ケーブル７１及び連絡ケーブル７２を接続する場合には、扉体２０の外部で視認しながら行うことができ、煩雑な作業を要しない。
【００４６】
メイン電気錠５０及びサブ電気錠６０に外部接続ケーブル７１及び連絡ケーブル７２を接続した後においては、外部接続ケーブル７１及び連絡ケーブル７２と共にケース本体５１，６１をケース収容孔８１，８２に挿入すれば、メイン電気錠５０及びサブ電気錠６０を表面材の相互間に配置することができる。この変形例においても、表面材とケース本体５１，６１の側面５１ａ，６１ａとの間にスペーサ８０が介在することになり、しかもスペーサ８０とケース本体５１，６１の側面５１ａ，６１ａとの間には外部接続ケーブル７１及び連絡ケーブル７２が配置できる隙間が存在しない。このため、表面材の相互間に挿入された外部接続ケーブル７１及び連絡ケーブル７２は、スペーサ８０のケース収容孔８１，８２においてケース本体５１，６１の後面５１ｂ，６１ｂに押されて順次奥方に案内され、ケース収容孔８１，８２と芯材２３との隙間やケース収容孔８１，８２においてケース本体５１，６１の周囲となる部分に確保されるケーブル収容空間に収容されることになり、ケース本体５１，６１の側面５１ａ，６１ａと表面材との間に配置されるおそれはない。従って、この状態からハンドルを取り付けた場合にも、ボス部や連係部材、取付ネジ等によって外部接続ケーブル７１及び連絡ケーブル７２に損傷を来すおそれはなく、電気錠５０，６０の動作を保証することが可能となる。
【符号の説明】
【００４７】
１０  枠体、２０  扉体、２０Ａ  収容部、２０Ｂ  ケーブル収容空間、２２  表面材、２３  芯材、２３ｂ  ケーブル配置溝、３０，４０  ハンドル、３１，４１  操作部、３２，４２  取付部、５０，６０  電気錠、５１，６１  ケース本体、５１ａ，６１ａ  側面、５１ｂ，６１ｂ  後面、５３  ラッチボルト、５４，６３  デッドボルト、７１  外部接続ケーブル、７２  連絡ケーブル、８０  スペーサ、８０ｃ  外表面、８１，８２  ケース収容孔、８３，８４  連通溝、８６  ケーブル配置溝
【図１】
0006690979.tif 000002
【図２】
0006690979.tif 000003
【図３】
0006690979.tif 000004
【図４】
0006690979.tif 000005
【図５】
0006690979.tif 000006
【図６】
0006690979.tif 000007
【図７】
0006690979.tif 000008
【図８】
0006690979.tif 000009
【図９】
0006690979.tif 000010
【図１０】
0006690979.tif 000011
【図１１】
0006690979.tif 000012
【図１２】
0006690979.tif 000013
【図１３】
0006690979.tif 000014
【図１４】
0006690979.tif 000015